(57)【要約】      （修正有）【課題】工作機械などから流出した切り屑などを含有するクーラントの処理をおこなう際に、クーラントタンクの底に切り屑などを溜めないクーラント清浄装置を提供する。【解決手段】クーラント内に含有する、主に磁性体切り屑を除去するための磁気分離器１５と、渦流１３を発生させるための、有底円筒形状の円形クーラントタンク１４と、その接線方向から円形クーラントタンク１４内へと流入させるためのクーラント流入口１１と、仕切り板ａ１６、仕切り板ｂ１７の２か所の仕切り板を具備した有底四角形状の角形クーラントタンク１９と、清浄化されたクーラントを貯液するためのクリーン槽２２と、清浄化されたクーラントを吸引し工作機械などに送り込むための、クリーンポンプ２０を具備する。【選択図】  図１
2006055981.tif 000002
【特許請求の範囲】
【請求項１】
工作機械などから流出されたクーラント内に含有する、主に磁性体切り屑を除去するための磁気分離器と、
クーラントタンク内に貯液された前記クーラントに渦流を発生させるための、有底円筒形状の円形クーラントタンクと、
工作機械などから流出された前記クーラントを、前記円形クーラントタンクの内壁に沿って、その接線方向から前記円形クーラントタンク内へと流入させるためのクーラント流入口と、
前記円形クーラントタンク内の前記クーラントを、前記磁気分離器に送り込むためのクーラント循環用ポンプと、
４か所の側板の内の少なくとも１か所は、クーラントタンク内へと沈澱させた微細な切り屑などをクーラントタンク外へと掻き出すための傾斜部を有し、クーラントタンク内に少なくとも１か所の仕切り板を具備した有底四角形状の角形クーラントタンクと、
前期磁気分離器、前記円形クーラントタンク、前記角形クーラントタンクにより清浄化された前記クーラントを貯液するためのクリーン槽と、
前記クリーン槽から前記クリーン槽内の清浄化されたクーラントを吸引し工作機械などに送り込むための、クリーンポンプを具備したことを特徴とするクーラント清浄装置。
【発明の詳細な説明】
【技術分野】
【０００１】  本発明は、切削あるいは研削などをおこなうための工作機械（加工母機とも言う。）などから流出する、切り屑などを含有するクーラント内から、切り屑などを分離処理してクーラントの清浄化をおこなうクーラント清浄装置に関する。
【背景技術】
【０００２】  産業界では、リサイクル性の向上のため、加工母機から流出した切り屑などを含有しているクーラントの処理をおこなう際に、ろ過精度を向上させ、クーラントタンクの底に溜まる切り屑などを極力少なくすると共に、溜まった切り屑などの処理が極めて簡単にできる、クーラント清浄装置が要望されている。【０００３】  図３は、加工母機から流出するクーラント中に含有している、主に磁性体の切り屑の処理をおこなうための、従来のクーラント清浄装置の一例を示す説明図である。【０００４】  加工母機から流出した切り屑などを含有しているクーラントは、クーラント清浄装置４９のクーラント流入口５０から流入し、沈澱槽５１内において、沈澱によるクーラント中の主に粗雑な切り屑の処理がおこなわれる。
クーラント中の主に粗雑な切り屑は、沈澱して沈澱槽５１内に堆積され、その都度、又は定期的に人手により掻き出し口５２から掻き出される。【０００５】  沈澱槽５１内において、沈澱によりクーラント中の主に粗雑な切り屑の処理がおこなわれたクーラントは、磁気分離器５３に流入され、クーラント中の微細な切り屑の処理がおこなわれる。【０００６】  磁気分離器５３は、マグネットを内蔵した回転円筒５４、あるいは電動機５５、絞りローラ５６、掻き板５７、などにより構成される。【０００７】  磁気分離器５３により微細な切り屑の処理がおこなわれたクーラントは、クリーンタンク５８内へと貯液され、クリーンポンプ５９、ベッド洗浄用ポンプ６０により加工母機へと圧送される。【０００８】  クリーンタンク５８内に貯液されたクーラントは、液面スイッチ６１によりその液面が制御される。
【発明の開示】
【発明が解決しようとする課題】
【０００９】  本発明に係る請求項１は、クーラントのろ過精度を向上させ、クーラントタンクの底に溜まる切り屑などを極力少なくすると共に、溜まった切り屑などの処理が極めて簡単にできる、新規な組み合わせを採用したクーラント清浄装置を提供することを課題とする。
【課題を解決するための手段】
【００１０】  上記目的を達成するために、本発明の請求項１に記載の発明は、加工母機から流出されたクーラント内に含有する、主に磁性体切り屑を除去するための磁気分離器と、
クーラントタンク内に貯液されたクーラントに渦流を発生させるための、有底円筒形状の円形クーラントタンクと、
加工母機などから流出されたクーラントを、円形クーラントタンクの内壁に沿って、その接線方向から円形クーラントタンク内へと流入させるためのクーラント流入口と、
円形クーラントタンク内のクーラントを、磁気分離器に送り込むためのクーラント循環用ポンプと、
４か所の側板の内の少なくとも１か所は、クーラントタンク内へと沈澱させた微細な切り屑などをクーラントタンク外へと掻き出すための傾斜部を有し、クーラントタンク内に少なくとも１か所の仕切り板を具備した有底四角形状の角形クーラントタンクと、
磁気分離器、円形クーラントタンク、角形クーラントタンクにより清浄化されたクーラントを貯液するためのクリーン槽と、
クリーン槽からクリーン槽内の清浄化されたクーラントを吸引し加工母機に送り込むための、クリーンポンプを具備したことを特徴とするものである。
【発明の効果】
【００１１】  請求項１に係る、加工母機から流出したクーラント内に含有する磁性体切り屑などを処理するクーラント清浄装置では、
クーラント内に含有する磁性体切り屑などを、クーラントタンク内に発生させた渦流により、クーラントタンク内の切り屑の濃度を均一化させると共に、クーラントタンクの中央部底面に効率よく集積し、集積したクーラント内に含有する磁性体切り屑などを、クーラント循環用ポンプによりクーラントと共に連続してクーラントタンクから排出できる円形クーラントタンクと、
主に磁性体切り屑を除去するための磁気分離器と、
沈澱によりクーラント中の微細な残存切り屑を処理するための角形クーラントタンクにより、
従来のクーラント清浄装置と比較し、ろ過精度を向上させ、クーラントタンクの底に溜まる切り屑などを極力少なくすると共に、溜まった切り屑などの処理が極めて簡単にできる新規なクーラント清浄装置を提供できる。【００１２】  また、上記の効果の他、クーラントタンク内の清掃頻度の減少、クーラントの腐敗防止、ランニングコストの低減、などの効果が考えられ、反復使用する加工母機のクーラントに関し、清浄度を維持し寿命を延長させることにより、加工母機の性能を保持でき全体的に稼働費用の低減に寄与できるものである。
【発明を実施するための最良の状態】
【００１３】  本実施形態に係るクーラント清浄装置は、加工母機から流出された、主に磁性体切り屑などを含有しているクーラントの処理をおこなうクーラント清浄装置である。
なお、本実施形態に係るクーラント清浄装置は、加工母機から流出した、主に磁性体切り屑などを含有しているクーラントの処理をおこなう際に、ろ過精度を向上させ、クーラントタンクの底に溜まる切り屑などを極力少なくすると共に、切り屑がクーラントタンクの底に溜まった場合においてもその処理が極めて簡単にできるクーラント清浄装置が要望されている。
【００１４】  以下、本発明の代表的な実施形態を図面を参照して説明する。
ただし、この実施例に記載されている構成部品の寸法、形状、材質、その相対位置などは、特に特定的な記載がないかぎりはこの発明の範囲をそれらのみに限定する趣旨のものではなく、単なる説明例にすぎない。
【００１５】  加工母機から流出したクーラント内に含有する切り屑が主に磁性体切り屑の場合の、本実施形態に係るクーラント清浄装置について図１、及び図２に基ずいて説明する。
【００１６】  加工母機から流出されたクーラント内に含有する切り屑が、主に磁性体切り屑の場合の本実施形態に係るクーラント清浄装置は、クーラント流入口１１とクーラント循環用ポンプ１２を具備すると共に、クーラントタンク内のクーラントに渦流１３を発生させることが可能な、有底円筒形状の円形クーラントタンク１４と、クーラント内に含有される主に磁性体切り屑を除去するための磁気分離器１５と、２か所の仕切り板ａ１６、ｂ１７と切り屑掻き出し口１８を備えた有底四角形状の角形クーラントタンク１９と、清浄化されたクーラントを加工母機に圧送するクリーンポンプ２０とベッド洗浄用ポンプ２１を具備するクリーン槽２２などにより構成されている。
【００１７】  加工母機より流出し、円形クーラントタンク１４の内壁２３に沿ってその接線方向から円形クーラントタンク１４に付属されたクーラント流入口１１を経由して円形クーラントタンク１４内へと流入された、主に磁性体切り屑を含有したクーラントにより、円形クーラントタンク１４内のクーラントに渦流１３が発生し、その渦流１３により円形クーラントタンク１４内のクーラント内に含有する磁性体切り屑などの濃度を均一化させると共に、クーラント内に含有する磁性体切り屑は、円形クーラントタンク１４の中央部底面２４に効率よく集積され、中央部底面２４に集積したクーラント内に含有する磁性体切り屑などは、クーラント循環用ポンプ１２によりクーラントと共に連続して円形クーラントタンク１４から流出される。
【００１８】  なお、円形クーラントタンク１４には、円形クーラントタンク１４内に貯液されたクーラントのクーラント不足を自動的に検出するための、液面スイッチ２４が具備される。
【００１９】  また、クーラント循環用ポンプ１２の吐出配管２６途中にはＴ字接続管２７が設けられ、クーラント循環用ポンプ１２から吐出されたクーラントの一部を、円形クーラントタンク１４の接線方向に設置されたクーラント吐出ノズル２８を介して円形クーラントタンク１４内に噴出させ、
前述の、加工母機より流出し、円形クーラントタンク１４に付属されたクーラント流入口１１を経由して円形クーラントタンク１４内へと流入されたクーラントと相まって渦流１３は増幅され、前述の渦流１３による効果が増大される。
【００２０】  クーラント吐出ノズル２８から噴出するクーラントの流量を流量調整バルブ２９により調整することにより渦流１３の強弱を調整することができる。
【００２１】  円形クーラントタンクのタンク内底面は、円形クーラントタンクの円筒形側面下端からタンク内底面中央に向けて、傾斜を有することもできる。（図示なし。）
【００２２】  クーラント循環用ポンプ１２により、円形クーラントタンク１４から排出された磁性体切り屑などを含有したクーラントは、磁気分離器１５に流入され、クーラント中の磁性体切り屑の処理がおこなわれる。
【００２３】  磁気分離器１５は、非磁性回転円筒内に固定のマグネットを内蔵した回転円筒３０を電動機３１により回転させ、この回転円筒３０と半円筒形の底板３２間を所定の隙間で形成させた流路３３内に磁性体の切り屑を含有したクーラントを通過させて、クーラント中の磁性体のスラッジを回転円筒３０の外周に吸着分離させることにより処理する。磁気分離器１５より流出された処理後のクーラントは、切り屑掻き出し口１８を具備し、２か所の仕切り板ａ１６、ｂ１７を備えた有底四角形状の角形クーラントタンク１９へと流入される。
なお、回転円筒３０外周に吸着した磁性体のスラッジは、絞りローラ３４により押圧されて脱水され、掻き板３５により掻き取られて、受け箱３６内に排出される。
【００２４】  磁気分離器１５より有底四角形状の角形クーラントタンク１９へと流入された、微細な残存切り屑や非磁性体切り屑を含有したクーラントは、一次沈澱槽３７により一次沈澱処理が、二次沈澱槽３８により二次沈澱処理がおこなわれ、流路３９を経由して、角形クーラントタンク１９の側板４０に設置されたクリーン槽２２へと流入される。
【００２５】  有底四角形状の角形クーラントタンク１９内の、一次沈澱槽３７、二次沈澱槽３８、及び流路３９は、切り欠きａ４１を有する仕切り板ａ１６、切り欠きｂ４２を有する仕切り板ｂ１７により区切られ、角形クーラントタンク１９内に含有された、微細な残存切り屑や非磁性体切り屑の処理が沈澱によりおこなわれる。
【００２６】  流路３９を経由して、角形クーラントタンク１９の側板４０に設置されたクリーン槽２２内へと流入された清浄化後のクリーンクーラントは、クリーン槽２２上に具備されたクリーンポンプ２０、及びベッド洗浄用ポンプ２１により加工母機へと圧送される。
【００２７】  角形クーラントタンク１９の４か所の側板４０の内１か所は、角形クーラントタンク１９内へと沈澱させた、微細な残存切り屑、及び非磁性体切り屑などを角形クーラントタンク１９外へと掻き出すための傾斜部４３を有し、角形クーラントタンク１９内の一次沈澱槽３７、及び二次沈澱槽３８内に沈澱された微細な残存切り屑、及び非磁性体切り屑などは、デレッキ４４などにより掻き出されて、受け箱４５内に排出される。
【００２８】  角形クーラントタンク１９の側板４０に設置されたクリーン槽２２の上限液面位４６において、クリーン槽２２と円形クーラントタンク１４は、樋４７により連通され、クーラントがクリーン槽２２から円形クーラントタンク１４内へと常時流入するように、各クーラントポンプの吐出容量は、調整される。
【００２９】  なお、クリーン槽２２には、各クーラントポンプの吐出容量調整不良による、クリーン槽２２内に貯液されたクーラントの液面低下（正常時は、クリーン槽２２から円形クーラントタンク１４へと常時オーバーフローのため、クリーン槽２２の液面位は常時一定）を自動的に検出するための、液面スイッチ４８が具備される。
【００３０】  その他本発明装置は、前にも述べたように、上記し、かつ図面に示した実施例に限定されるものではなく、要旨を逸脱しない範囲内で適宜変更しうるものである。
【図面の簡単な説明】
【００３１】
【図１】本発明のクーラント清浄装置の正面を示す説明図である。
【図２】本発明のクーラント清浄装置の平面を示す説明図である。
【図３】従来のクーラント清浄装置を示す斜視図である。
【符号の説明】
【００３２】１１・・・クーラント流入口            １２・・・クーラント循環用ポンプ
１３・・・渦流                        １４・・・円形クーラントタンク
１５・・・磁気分離器                  １６・・・仕切り板ａ
１７・・・仕切り板ｂ                  １８・・・切り屑掻き出し口
１９・・・角形クーラントタンク        ２０・・・クリーンポンプ
２１・・・ベッド洗浄用ポンプ          ２２・・・クリーン槽
２３・・・内壁                        ２４・・・底面
２５・・・液面スイッチ                ２６・・・吐出配管
２７・・・Ｔ字配管                    ２８・・・クーラント吐出配管
２９・・・流量調整バルブ              ３０・・・回転円筒
３１・・・電動機                      ３２・・・底板
３３・・・流路                        ３４・・・絞りローラ
３５・・・掻き板                      ３６・・・受け箱
３７・・・一次沈澱槽                  ３８・・・二次沈澱槽
３９・・・流路                        ４０・・・側板
４１・・・切り掻きａ                  ４２・・・切り掻きｂ
４３・・・傾斜部                      ４４・・・デレッキ
４５・・・受け箱                      ４６・・・上限液面位
４７・・・樋                          ４８・・・液面スイッチ
４９・・・クーラント清浄装置          ５０・・・クーラント流入口
５１・・・沈澱槽                      ５２・・・掻き出し口
５３・・・磁気分離器                  ５４・・・回転円筒
５５・・・電動機                      ５６・・・絞りローラ
５７・・・掻き板                      ５８・・・クリーンタンク
５９・・・クリーンポンプ              ６０・・・ベッド洗浄ポンプ
６１・・・液面スイッチ
【図１】
2006055981.tif 000003
【図２】
2006055981.tif 000004
【図３】
2006055981.tif 000005